【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
遠隔のメッセージサービスネットワークにリンクされた外部装置とアクセス可能な入力及び／又は出力（Ｉ／Ｏ）ポートと、
前記Ｉ／Ｏポートに接続された外部装置と通信するためのプロセッサと、
前記プロセッサを起動させるソフトウエアドライバと、
前記ソフトウエアドライバを蓄積するメモリ装置と、
前記ソフトウエアドライバによって前記外部装置より伝送された情報を可視表示する表示装置と、
を有することを特徴とする電子装置。
【請求項２】
遠隔の情報ソースからの少なくとも一方向の情報を受信及び／又は記憶する外部装置と接続可能な入力及び／又は出力(Ｉ／Ｏ)ポートと、
前記外部装置が受信及び／又は記憶した情報のアップロードを指示するコントローラと、
前記コントローラに応答して前記情報を蓄積する蓄積バッファと、
前記蓄積バッファにアップロードされた情報を表示する表示装置と、
を有することを特徴とする電子装置。
【請求項３】
表示装置を備えた電子装置と入力及び／又は出力（Ｉ／Ｏ）ポートを介して接続可能であり、
前記電子装置及び遠隔の情報ソースからの情報を送信及び／又は受信し、
前記電子装置と前記遠隔の情報ソース間の通信を可能にする
ことを特徴とする外部装置。
【請求項４】
前記Ｉ／Ｏポートは前記外部装置又は電子装置と適合性のあるプラグであって、電子−機械的結合構造を含んでいる
ことを特徴とする請求項１乃至３のいずれかに記載の電子装置又は外部装置。
【請求項５】
前記Ｉ／Ｏポートは前記外部装置に対する無線通信リンクを含む
ことを特徴とする請求項１又は２に記載の電子装置。
【請求項６】
前記無線リンクは光電的なもの又は赤外線を用いることを特徴とする請求項５に記載の電子装置。
【請求項７】
書き込み可能な制御記憶装置を含み、
前記外部装置から伝送された書き込み可能な情報を記憶し、
前記記憶された情報を前記表示装置に表示する、
ことを特徴とする請求項１又は２に記載の電子装置。
【請求項８】
前記受信した情報は、前記表示装置に表示された第１の表示に重ねる第２の表示の形態で表示されることを特徴とする請求項１又は２に記載の電子装置。
【手続補正２】
【補正対象書類名】明細書
【補正対象項目名】発明の名称
【補正方法】変更
【補正の内容】
【発明の名称】電子装置及び電子装置に接続可能な外部装置
【手続補正３】
【補正対象書類名】明細書
【補正対象項目名】０００６
【補正方法】変更
【補正の内容】
【０００６】
本発明の電子装置は、遠隔のメッセージサービスネットワークにリンクされた外部装置とアクセス可能な入力及び／又は出力（Ｉ／Ｏ）ポートと、前記Ｉ／Ｏポートに接続された外部装置と通信するためのプロセッサと、前記プロセッサを起動させるソフトウエアドライバと、前記ソフトウエアドライバを蓄積するメモリ装置と、前記ソフトウエアドライバによって前記外部装置より伝送された情報を可視表示する表示装置とを有することを特徴とする。本発明に係る電子装置は家庭内における消費者電子製品であり、例えば、テレビジョンセット、ビデオカセットレコーダ、ビデオカセットプレーヤー、ケーブルコンバータボックス、又はパーソナルコンピュータ等を含む。
【手続補正４】
【補正対象書類名】明細書
【補正対象項目名】０００７
【補正方法】変更
【補正の内容】
【０００７】
また、本発明に係る電子装置は、遠隔の情報ソースからの少なくとも一方向の情報を受信及び／又は記憶する外部装置と接続可能な入力及び／又は出力(Ｉ／Ｏ)ポートと、前記外部装置が受信及び／又は記憶した情報のアップロードを指示するコントローラと、前記コントローラに応答して前記情報を蓄積する蓄積バッファと、前記蓄積バッファにアップロードされた情報を表示する表示装置とを有することを特徴とする。本発明に係る遠隔の情報ソースは、電子装置に接続された外部装置に対し情報を供給するメッセージサーバ、サービスプロバイダ等を含み、かかる情報はテキスト、画像等、可視表示可能なデータ及びメッセージを含む。
【手続補正５】
【補正対象書類名】明細書
【補正対象項目名】０００８
【補正方法】変更
【補正の内容】
【０００８】
また、本発明に係る外部装置は、表示装置を備えた電子装置と入力及び／又は出力（Ｉ／Ｏ）ポートを介して接続可能であり、前記電子装置及び遠隔の情報ソースからの情報を送信及び／又は受信し、前記電子装置と、前記遠隔の情報ソース間の通信を可能にすることを特徴とする。本発明に係る外部装置は、外部のソースからの有用な情報を受信し、かつＩ／Ｏポートを介して電子装置へ転送のためフォーマットすることができる任意の装置であり得る。また、前記外部装置は無線受信機を含み、選択的にはトランスミッタを備え電子装置と遠隔のソースとの間で２方向の信号発信ができる対称通信を可能にすることを特徴とする。
【手続補正６】
【補正対象書類名】明細書
【補正対象項目名】０００９
【補正方法】変更
【補正の内容】
【０００９】
また、本発明に係る電子装置又は外部装置において、前記Ｉ／Ｏポートは前記外部装置又は電子装置と適合性のあるプラグであって、電子−機械的結合構造を含んでいることを特徴とする。
【手続補正７】
【補正対象書類名】明細書
【補正対象項目名】００１０
【補正方法】変更
【補正の内容】
【００１０】
また、本発明に係る電子装置において、前記Ｉ／Ｏポートは前記外部装置に対する無線通信リンクを含むことを特徴とする。
【手続補正８】
【補正対象書類名】明細書
【補正対象項目名】００１１
【補正方法】変更
【補正の内容】
【００１１】
また、本発明に係る電子装置において、前記無線リンクは光電的なもの又は赤外線を用いることを特徴とする。
【手続補正９】
【補正対象書類名】明細書
【補正対象項目名】００１２
【補正方法】変更
【補正の内容】
【００１２】
また、本発明に係る電子装置は、書き込み可能な制御記憶装置を含み、前記外部装置から伝送された書き込み可能な情報を記憶し、前記記憶された情報を前記表示装置に表示することを特徴とする。本発明に係る書き込み可能な制御記憶装置は、電子装置内のメモリの一領域でもよく、好ましくは電子装置に接続された外部装置が、書き込み可能な制御記憶データをアップロードし、電子装置と外部装置間で規定された対話を可能にする。
【手続補正１０】
【補正対象書類名】明細書
【補正対象項目名】００１３
【補正方法】変更
【補正の内容】
【００１３】
また、本発明に係る電子装置において、前記受信した情報は、前記表示装置に表示された第１の表示に重ねる第２の表示の形態で表示されることを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００４７
【補正方法】変更
【補正の内容】
【００４７】
図２（Ａ）は、例えば、視聴者の家庭でのＴＶ１２に接続された遠隔の受信機２８に対し、情報を伝送するアンテナ３８に作動的に接続されたメッセージサーバ、又はサービスプロバイダ３６を含む一方通信システムを示している。図２（Ａ）から図２（Ｃ）におけるサーバ３６とアンテナ３８は図１（Ａ）から図１（Ｄ）のメッセージシステム又はネットワーク３０と全体として対応していることが理解されよう。